(57)【要約】  車両の位置を特定するための方法であって、第１の情報源として使用される路側ユニットに対する車両の相対位置の決定（Ｅ４０）に基づいて、車両の位置の第１の推定値を決定するステップを含み、車両の位置の前記第１の推定値が、少なくとも１つの第２の情報源によって与えられる車両の位置の少なくとも１つの第２の推定値を確証するために使用されることを特徴とする、車両の位置を特定するための方法。【選択図】図２
2021529969.tif 000002
【特許請求の範囲】
【請求項１】
車両の位置を特定するための方法であって、第１の情報源として使用される路側ユニット（９）に対する前記車両（５）の相対位置を決定すること（Ｅ４０）に基づいて、前記車両の位置の第１の推定値を決定するステップを含み、前記車両の前記位置の前記第１の推定値が、少なくとも第２の情報源によって与えられる前記車両の前記位置の少なくとも第２の推定値を確証するために使用されることを特徴とする、車両の位置を特定するための方法。
【請求項２】
前記車両の前記位置の前記第１の推定値を決定する前記ステップが、前記路側ユニット（９）によって送信される少なくとも１つのメッセージの前記車両（５）による受信（Ｅ１）を含むことを特徴とする、請求項１に記載の方法。
【請求項３】
前記受信（Ｅ１）が、
−  生データを取得することと、
−  前記生データをフォーマットすることと
を含むことを特徴とする、請求項２に記載の方法。
【請求項４】
前記受信（Ｅ１）が、路側ユニット（９）によって送信された前記メッセージのみをとり入れるようなフィルタ処理をさらに含むことを特徴とする、請求項２または３に記載の方法。
【請求項５】
前記車両の前記位置の前記第１の推定値を決定する前記ステップが、
−  前記メッセージを搬送する信号の電力を測定すること（Ｅ２０）と、
−  前記信号が最大電力に達したことの検出に基づいて、前記路側ユニット（９）に対する前記車両（５）の前記相対位置を決定するステップ（Ｅ４０）と
をさらに含むことを特徴とする、請求項２から４のいずれか一項に記載の方法。
【請求項６】
前記路側ユニット（９）に対する前記車両（５）の前記相対位置を決定する前記ステップ（Ｅ４０）が、前記信号が前記最大電力に達したとき、前記車両は、道路上の前記路側ユニット（９）が設置されていることが知られている側の、該道路上の前記ユニットに最も近いポイントに位置することを考慮することを含むことを特徴とする、請求項５に記載の方法。
【請求項７】
前記メッセージを搬送する前記信号の前記電力が、前記路側ユニット（９）に対する前記車両（５）からの最小距離（ｄｍｉｎ）を決定するように測定される（Ｅ２０）ことを特徴とする、請求項５または６に記載の方法。
【請求項８】
前記信号のＲＳＳＩが前記車両（５）のための位置データとして使用されることを特徴とする、請求項５から７のいずれか一項に記載の方法。
【請求項９】
前記車両の前記位置の前記第１の推定値を決定する前記ステップは、前記車両（５）が基準位置に到達するために必要とされる時間（ｔｒｅｆ）を決定するステップ（Ｅ１０）を含むことを特徴とする、請求項１から８のいずれか一項に記載の方法。
【請求項１０】
前記車両（５）が基準位置に到達するために必要とされる前記時間（ｔｒｅｆ）を決定する前記ステップ（Ｅ１０）は、
−  前記車両（５）が前記路側ユニット（９）から可能な最も短い距離離れて位置する位置に対応する基準位置を決定するサブステップ（Ｅ１０１）と、
−  現在位置、リアルタイムでの速度、および前記車両の方向を決定するサブステップ（Ｅ１０２）と、
−  前記現在位置、リアルタイムでの前記速度、および前記車両の前記方向を考慮することによって、前記基準位置に基づいて、前記車両（５）が前記基準位置に到達するために必要とされる前記時間（ｔｒｅｆ）を計算するサブステップ（Ｅ１０３）と
を含むことを特徴とする、請求項９に記載の方法。
【請求項１１】
前記現在位置、リアルタイムでの前記速度、および前記車両の前記方向を決定する前記サブステップ（Ｅ１０２）が、
−  前記路側ユニット（９）によって送信されたメッセージの前記受信（Ｅ１）に基づいて、第１の現在位置および／またはリアルタイムでの第１の速度および／または前記車両の第１の方向を含む第１のデータを取得することと、
−  第２の現在位置および／またはリアルタイムでの第２の速度および／または前記車両の第２の方向を含む第２のデータを取得することを可能にする、少なくとも第２の情報源（ＵＢＭＯＤ）によって送信されたメッセージを受信すること（Ｅ２）と、
−  前記路側ユニット（９）から取得された前記第１のデータと前記少なくとも第２の情報源（ＵＢＭＯＤ）から取得された前記第２のデータとを比較することであって、前記車両の前記現在位置および／または前記車両のリアルタイムでの前記速度および／または前記車両の前記方向を決定することを可能にするか、あるいは前記第１および第２のデータに従って前記車両の前記現在位置および／または前記車両のリアルタイムでの前記速度および／または前記車両の前記方向を構築することを可能にする、前記第１のデータと前記第２のデータとを比較することと
を含むことを特徴とする、請求項１０に記載の方法。
【請求項１２】
前記車両の前記位置の前記第１の推定値を決定する前記ステップが、特にマップ（ＭＡＰ）に対するフィルタ処理のステップ（Ｅ３０）を含むことを特徴とする、請求項１から１１のいずれか一項に記載の方法。
【請求項１３】
前記第１の情報源によって与えられる情報が８０２．１１ｐ  Ｗｉ−Ｆｉ規格に準拠することを特徴とする、請求項１から１２のいずれか一項に記載の方法。
【請求項１４】
車両（５）において使用されるように構成された通信ボックス（７）であって、前記通信ボックス（７）は、請求項１から１３のいずれか一項に記載の方法を実装するハードウェアおよび／もしくはソフトウェア要素（７１、７２、７３、７４、７５、７８、７９）、特に請求項１から１３のいずれか一項に記載の方法を実装するように設計されたハードウェアおよび／もしくはソフトウェア要素（７１、７２、７３、７４、７５、７８、７９）を備え、ならびに／または前記通信ボックス（７）は、請求項１から１３のいずれか一項に記載の方法を実装するための手段を備える、通信ボックス。
【請求項１５】
コンピュータによって可読なデータ記憶媒体（７５）であって、請求項１から１３のいずれか一項に記載の方法を実装するためのプログラムコード命令を含むコンピュータプログラムが記憶されている、コンピュータによって可読なデータ記憶媒体（７５）、あるいは、命令がコンピュータによって実行されたとき、請求項１から１３のいずれか一項に記載の方法を実装するように該コンピュータを導く前記命令を含むコンピュータ可読データ記憶媒体。
【請求項１６】
請求項１４に記載のボックスおよび／または請求項１５に記載の媒体を備える車両（５）。
【請求項１７】
プログラムがコンピュータ上で動作しているときに、請求項１から１３のいずれか一項に記載の方法のステップを実装するためのコンピュータ可読媒体上に記憶されたプログラムコード命令を含むコンピュータプログラム製品、あるいは、通信ネットワークからダウンロード可能であり、ならびに／またはコンピュータ（７４）によって可読なおよび／もしくはコンピュータによって実行可能なデータ媒体上に記憶されたコンピュータプログラム製品であって、前記プログラムがコンピュータによって実行されたとき、請求項１から１３のいずれか一項に記載の方法を実装するように該コンピュータを導く命令を含むことを特徴とする、コンピュータプログラム製品。
【発明の詳細な説明】
【技術分野】
【０００１】
本発明は、車両、特に自動車の位置を特定するための方法に関する。本発明はまた、自動車において使用されるように構成され、そのような方法を実装するための手段を備える、通信ボックスに関する。本発明はさらに、そのようなボックスを備える自動車に関する。本発明はまた、そのような方法を実装するコンピュータプログラムに関する。本発明はさらに、そのようなプログラムが記録されている記憶媒体に関する。最後に、本発明は、そのようなプログラムを担持する、データ媒体からの信号に関する。
【背景技術】
【０００２】
自動車産業における自律運転の出現により、車両の位置を特定することに関する要件はますます厳しくなりつつある。
【０００３】
車両の位置を特定するために、ＧＮＳＳ（Ｇｌｏｂａｌ  Ｎａｖｉｇａｔｉｏｎ  Ｓａｔｅｌｌｉｔｅ  Ｓｙｓｔｅｍ：グローバルナビゲーション衛星システム）システム、ＲＦＩＤ（Ｒａｄｉｏ−ｆｒｅｑｕｅｎｃｙ  Ｉｄｅｎｔｉｆｉｃａｔｉｏｎ：無線周波数識別）ビーコン、ＲＴＫ（Ｒｅａｌ−ｔｉｍｅ  Ｋｉｎｅｍａｔｉｃ：リアルタイム運動学的）システム、トラッカーなどのソリューションがある。しかしながら、通常個々に使用されるこれらのシステムでは、車両の位置を十分に高い精度で決定することは可能ではない。特に、車両の周囲の環境は、車両の位置の決定に干渉し得る。たとえば、送信機、通常は１つまたは複数の衛星と受信車両との間に障害が存在し得る。これにより、車両の位置の決定における精度に差が生じる。ＲＴＫシステムでは、車両の位置を高い精度で決定することが可能である。しかしながら、そのようなＲＴＫシステムの欠点は、それらの実装および保守のコストが高いことである。
【０００４】
車両がマニュアルモードで使用されるとき、ドライバは「ホイールの制御」を保つので、車両のロケーションはより低い精度で決定され得る。
【０００５】
しかしながら、車両が自律モードで使用されるとき、運転は部分的にまたは完全に車両に委ねられる。車両のロケーションにおける精度の差は、次いで、車両の意思決定に影響を及ぼし得る。さらに、車両のロケーションに関する情報は、他のシステムによって、特にマッピングシステムによって使用される。車両のロケーションにおける不正確さは、次いでその場合、多分これらのシステムに反映され得る。これは、潜在的に、道路安全と自律運転の信頼性とに深刻な影響を及ぼし得る。
【０００６】
自律モードは、車両の車線に対する、および車両がそこを通って移動している道路環境に対する車両の正確なロケーションを必要とする。自律モードにおいて、車両を位置決めするために必要とされる精度は、たとえば縦方向において約０．５ｍと約１ｍとの間であり、たとえば横方向において約１０ｃｍと約１５ｃｍとの間である。「縦方向」とは、車両がそこにおいて進んでいる車線の主方向を意味する。「横方向」とは、車線の主方向に直角な方向を意味する。
【０００７】
車両の位置を特定するための１つの方法は、文書「Ａ  ｒｏａｄｓｉｄｅ  ｕｎｉｔ−ｂａｓｅｄ  ｌｏｃａｌｉｚａｔｉｏｎ  ｓｃｈｅｍｅ  ｆｏｒ  ｖｅｈｉｃｕｌａｒ  ａｄ  ｈｏｃ  ｎｅｔｗｏｒｋｓ」（Ｃｈｉａ−Ｈｏ  Ｏｕ、Ｄｅｐａｒｔｍｅｎｔ  ｏｆ  Ｃｏｍｐｕｔｅｒ  Ｓｃｉｅｎｃｅ  ＆  Ｉｎｆｏｒｍａｔｉｏｎ  Ｅｎｇｉｎｅｅｒｉｎｇ，  Ｎａｔｉｏｎａｌ  Ｐｉｎｇｔｕｎｇ  Ｉｎｓｔｉｔｕｔｅ  ｏｆ  Ｃｏｍｍｅｒｃｅ，  Ｐｉｎｇｔｕｎｇ，  Ｔａｉｗａｎ）から知られている。
【０００８】
この方法の目的は、路側ユニット（ＲＳＵ：ｒｏａｄｓｉｄｅ  ｕｎｉｔ）によって送信された信号の特性、主に信号の到着の時間、および信号の到着の時間の差を活用することによって、路側ユニットに基づいて車両の位置を特定することである。この文書では、車両の位置を推定するために、車両の走行距離測定（ｏｄｏｍｅｔｒｉｑｕｅｓ）データを考慮に入れながら、車道の両側に位置する２つのＲＳＵから来る情報が使用される。これにより、車両の２つの可能な位置を推定し、次いでアルゴリズムを適用することによって車両の位置を決定することが可能になる。
【０００９】
しかしながら、このソリューションは欠点を有する。特に、そのような方法は、車道の両側に位置するＲＳＵのペアの使用を必要とする。しかしながら、現在のインフラストラクチャには、まれにしか、車道の両側に位置するＲＳＵのペアが装備されていない。現在のインフラストラクチャには、一般に、車道のただ一方の側に配置されたＲＳＵが装備される。そのような方法の実装は、したがって、既存の道路インフラストラクチャまたは現在設計されている道路インフラストラクチャに対する多くの変更を必要とするであろう。さらに、そのような方法は多数のＲＳＵの使用を必要とする。これにより、そのような方法の実装のコストが高くなる。
【発明の概要】
【００１０】
本発明の目的は、上記の欠点を克服し、従来技術から知られている、車両の位置を特定するための方法を改善する、車両の位置を特定するための方法を提供することである。特に、本発明は、コストを制限しながら、改善された精度および信頼性で車両の位置を特定することを可能にする方法を提供することを目的とする。
【００１１】
この目的を達成するために、本発明は、車両の位置を特定するための方法に関し、本方法は、第１の情報源として使用される路側ユニットに対する車両の相対位置を決定することに基づいて、車両の位置の第１の推定値を決定するステップを含み、車両の位置の前記第１の推定値は、少なくとも第２の情報源によって与えられる車両の位置の少なくとも第２の推定値を確証するために使用される。
【００１２】
車両の位置の第１の推定値を決定するステップは、前記路側ユニットによって送信される少なくとも１つのメッセージの車両による受信を含み得る。
【００１３】
前記路側ユニットによって送信される少なくとも１つのメッセージの車両による受信は、生データを取得すること、および／または生データをフォーマットすることを含み得る。
【００１４】
前記路側ユニットによって送信される少なくとも１つのメッセージの車両による受信は、路側ユニットによって送信されたメッセージのみをとり入れるようなフィルタ処理をさらに含み得る。
【００１５】
車両の位置の第１の推定値を決定するステップは、メッセージを搬送する信号の電力を測定すること、および／または前記信号が最大電力に達したことの検出に基づいて、前記路側ユニットに対する車両の相対位置を決定するステップをさらに含み得る。
【００１６】
前記路側ユニットに対する車両の相対位置を決定するステップは、信号が最大電力に達したとき、車両が、道路上の、路側ユニットが設置されることが知られている側の、この道路上の前記ユニットに最も近いポイントに位置することを考慮することを含み得る。
【００１７】
有利には、メッセージを搬送する信号の電力は、路側ユニットに対する車両からの最小距離ｄｍｉｎを決定するように測定される。
【００１８】
信号のＲＳＳＩは、車両のための位置データとして使用され得る。
【００１９】
車両の位置の第１の推定値を決定するステップは、車両が基準位置に到達するために必要とされる時間ｔｒｅｆを決定するステップを含み得る。
【００２０】
車両が基準位置に到達するために必要とされる時間ｔｒｅｆを決定するステップは、
−  車両が路側ユニットから可能な最も短い距離離れて位置する位置に対応する基準位置を決定するサブステップと、
−  現在位置、リアルタイムでの速度、および車両の方向を決定するサブステップと、
−  現在位置、リアルタイムでの速度、および車両の方向を考慮することによって、前記基準位置に基づいて、車両が前記基準位置に到達するために必要とされる時間ｔｒｅｆを計算するサブステップと
を含み得る。
【００２１】
現在位置、リアルタイムでの速度、および車両の方向を決定するサブステップは、
−  前記路側ユニットによって送信されたメッセージの受信に基づいて、第１の現在位置および／またはリアルタイムでの第１の速度および／または車両の第１の方向を含む第１のデータを取得することと、
−  第２の現在位置および／またはリアルタイムでの第２の速度および／または車両の第２の方向を含む第２のデータを取得することを可能にする、少なくとも第２の情報源によって送信されたメッセージを受信することと、
−  前記路側ユニットから取得された第１のデータと、少なくとも第２の情報源から取得された第２のデータとを比較することであって、車両の現在位置および／または車両のリアルタイムでの速度および／または車両の方向を決定することを可能にするか、あるいは第１および第２のデータに従って車両の現在位置および／または車両のリアルタイムでの速度および／または車両の方向を構築することを可能にする、第１のデータと第２のデータとを比較することと
を含み得る。
【００２２】
車両の位置の第１の推定値を決定するステップは、特にマップに対するフィルタ処理のステップを含み得る。
【００２３】
第１の情報源によって与えられた情報は８０２．１１ｐ  Ｗｉ−Ｆｉ規格に準拠し得る。
【００２４】
本発明はまた、車両において使用されるように構成された通信ボックスに関し、通信ボックスは、上記で説明したタイプの方法を実装するハードウェアおよび／もしくはソフトウェア要素、特に上記で説明したタイプの方法を実装するように設計されたハードウェアおよび／もしくはソフトウェア要素を備え、ならびに／または通信ボックスは、上記で説明したタイプの方法を実装するための手段を備える。
【００２５】
本発明はさらに、上記で説明したタイプの方法を実装するためのプログラムコード命令を含むコンピュータプログラムが記憶されている、コンピュータによって可読なデータ記憶媒体、または命令がコンピュータによって実行されたとき、上記で説明したタイプの方法を実装するようにこのコンピュータを導く命令を含むコンピュータ可読データ記憶媒体に関する。
【００２６】
本発明はまた、上記で説明したタイプのボックスおよび／または上記で説明したタイプの媒体を備える車両に関する。
【００２７】
本発明はさらに、プログラムがコンピュータ上で動作しているときに、上記で説明したタイプの方法のステップを実装するためのコンピュータ可読媒体に記憶されたプログラムコード命令を含むコンピュータプログラム製品、あるいは、通信ネットワークからダウンロード可能であり、ならびに／またはコンピュータによって可読なおよび／もしくはコンピュータによって実行可能なデータ媒体上に記憶されたコンピュータプログラム製品であって、プログラムがコンピュータによって実行されたとき、上記で説明したタイプの方法を実装するようにこのコンピュータを導く命令を含む、コンピュータプログラム製品に関する。
【００２８】
最後に、本発明は、上記で説明したタイプのコンピュータプログラム製品を担持する、データ媒体からの信号に関する。
【００２９】
添付の図面は、例として、本発明による車両の位置を特定するための方法の一実施形態を示す。
【図面の簡単な説明】
【００３０】
【図１】路側ユニット（ＲＳＵ）が装備された道路インフラストラクチャを概略的に示す図である。
【図２】車両の位置を特定するための方法の一実施形態のフローチャートを示す図である。
【図３】車両の一実施形態を概略的に示す図である。
【発明を実施するための形態】
【００３１】
車両、特に自律車両の位置を正確に特定するには、複数の情報源の組み合わされた使用が必要になる。本発明は、既存の道路インフラストラクチャまたは現在構築されている道路インフラストラクチャを活用することを目的とする。路側ユニット（ＲＳＵ）と呼ばれるデバイスまたはユニットがある。これらのＲＳＵは、通常、Ｖ２Ｉ（ｖｅｈｉｃｌｅ−ｔｏ−ｉｎｆｒａｓｔｒｕｃｔｕｒｅ：車両対インフラストラクチャ）通信と呼ばれる、車両とインフラストラクチャとの間の通信のためにのみ使用される。これらのＲＳＵにより、イベント情報を車両に中継すること、または車両とインフラストラクチャとの間で中継することが可能になる。本発明は、車両の位置の決定を改善するために、特に車両のロケーションの精度および／または信頼性を改善するために、追加の情報源として路側ユニットを使用して車両の位置を特定するための方法を提案する。既存の道路インフラストラクチャまたは現在構築されている道路インフラストラクチャの使用により、車両の位置を特定するためのそのような方法の実装のコストを制限することが可能になる。
【００３２】
以下で、図１を参照しながら、道路インフラストラクチャ１または道路交通ネットワークの一例について説明する。
【００３３】
道路インフラストラクチャ１は、道路の少なくとも１つのセクション、または少なくとも１つの車両５がその上を移動し得る車道３を備える。車両５は、たとえばＯＢＵ（ｏｎ−ｂｏａｒｄ  ｕｎｉｔ：車載ユニット）タイプの通信ボックス７を備える。
【００３４】
道路３のセクションは、たとえば、２つの車線３１、３３を備える道路のセクションである。道路３のセクションはまた、３つ以上の車線を備え得る。
【００３５】
道路インフラストラクチャ１は、少なくとも１つの接続されたボックスまたは路側ユニット（ＲＳＵ）９を備える。ＲＳＵ９は、車道３の側、たとえば側３ａ上に位置する。ＲＳＵ９は、知られている固定の位置を有する。
【００３６】
複数のＲＳＵ９は、好ましくは一定の様式で車道３の側、好ましくは車道３の同じ側に構成され得る。
【００３７】
有利には、道路３のセクションには、５００ｍ〜１ｋｍごとに構成された複数のＲＳＵ９が装備され得る。これは、ＲＳＵの大規模な展開を伴う道路インフラストラクチャ１のケースに対応する。
【００３８】
ＲＳＵ９の考慮される範囲、言い換えれば、ＲＳＵによって送信されたメッセージがブロードキャストされ得る距離は、理論上は、たとえば１０００メートルのオーダーである。
【００３９】
随意に、道路インフラストラクチャ１はリモートプラットフォーム１１をさらに備え得る。リモートプラットフォーム１１は、たとえば、コンストラクタおよび／または交通情報プロバイダおよび／または道路インフラストラクチャマネージャおよび／またはコンテンツプロバイダに関係するサーバを備える。このリモートプラットフォーム１１により、車両から受信されたデータおよび／または車両に送られるデータを処理することが可能になる。
【００４０】
データを含むメッセージ２０は、各車両５の通信ボックス７と各ＲＳＵ９との間で交換され得る。
【００４１】
メッセージ２２は各ＲＳＵ９とリモートプラットフォーム１１との間で交換され得る。
【００４２】
以下で説明する方法で処理されたまたは処理されるべき信号、特にＲＳＵ９と車両５の通信ボックス７との間で交換されるメッセージ２０は、たとえば、８０２．１１ｐ  Ｗｉ−Ｆｉ規格に準拠する。
【００４３】
以下で、図２を参照しながら、車両の位置を特定するための方法の一実施形態について説明する。
【００４４】
車両の位置を特定するための方法は、第１の情報源として使用される路側ユニット９に対する車両５の相対位置を決定することに基づいて、車両の位置の第１の推定値を決定するステップを含む。
【００４５】
ステップＥ１（ＦＯＲＭ）において、路側ユニット９によって、たとえば周期的に、送信されたメッセージが受信される。路側ユニット９によって送信されたメッセージ２０は車両５の通信ボックス７によって受信される。路側ユニット９は第１の情報源に対応する。
【００４６】
メッセージ２０の受信により、生データが取得されることが可能になる。生データは、次いで、それらが方法の後続のステップにおいて使用され得るようにフォーマットされる。
【００４７】
このステップＥ１では、ＲＳＵによって送信されたメッセージからのデータのみが考慮に入れられる。このために、ＲＳＵから来るものではない、または単一のＲＳＵから来るものではない情報を考慮に入れることを回避するために、送信局のタイプに応じたフィルタ処理が実行され得る。フィルタ処理はまた、モバイルＲＳＵを考慮に入れることを回避するために、速度に応じて実行され得る。
【００４８】
第１のステップＥ１０において、車両５が基準位置に到達するために必要とされる時間ｔｒｅｆが決定される。
【００４９】
第１のステップＥ１０の第１のサブステップＥ１０１（ＲＥＦ）において、前記基準位置が決定される。基準位置は、たとえば、その位置がたとえば経度および緯度に関して知られている路側ユニット９の近傍に位置する基準点の位置に対応する。基準位置は、選定された路側ユニット９の知られている固定の位置に基づいて計算される。前記基準位置は、当該の車両５が路側ユニット９から可能な最も短い距離離れて位置する位置に対応する。
【００５０】
第１のステップＥ１０の第２のサブステップＥ１０２（ＣＯＭＰ）において、車両の現在位置および／または車両のリアルタイムでの速度および／または車両の移動方向が決定される。
【００５１】
ステップＥ１において第１の情報源もしくは路側ユニット９から取得された情報またはデータが、このために使用され得る。前記路側ユニット９によって送信されたメッセージの通信ボックス７による受信に基づいて、車両の第１の現在位置および／または車両のリアルタイムでの第１の速度および／または車両の第１の移動方向を与える第１のデータを取得することが可能である。
【００５２】
また、ステップＥ２において、少なくとも第２の情報源（ＵＢＭＯＤ）から取得された情報またはデータを使用することが可能である。前記少なくとも第２の情報源によって送信されたメッセージの受信に基づいて、車両の第２の現在位置および／または車両のリアルタイムでの第２の速度および／または車両の第２の移動方向を含む第２のデータを取得することが可能である。この第２の情報源は、たとえば、ＧＮＳＳタイプの位置特定システムであり得る。
【００５３】
通信ボックス７によって第１の情報源またはＲＳＵ９から取得された第１のデータは、少なくとも第２の情報源から取得された第２のデータと比較される。これらの第１および第２のデータは処理される。第１および第２のデータは第１および第２の情報源によってリアルタイムで送信される。これらの第１および第２のデータは、たとえば、特にＲＯＳ（Ｒｏｂｏｔ  Ｏｐｅｒａｔｉｎｇ  Ｓｙｓｔｅｍ：ロボット動作システム）タイプのソフトウェアを使用することによって、データ構造の形態で取り出される。車両の第１および第２の現在位置は、特に、経度および緯度に関して（度で）表される座標として、それぞれ第１および第２の情報源によって与えられる。第１の位置と第２の位置との間の差を簡単な様式で観測することによって車両の第１の現在位置と第２の現在位置とを比較することを可能にするために、経度および緯度に関して表された座標は、特に、ＵＴＭ（Ｕｎｉｖｅｒｓａｌ  Ｔｒａｎｓｖｅｒｓｅ  Ｍｅｒｃａｔｏｒ：ユニバーサル横メルカトル）座標系においてデカルト座標（メートル単位）に変換される。第１および第２のデータを処理する最終ステップは、それの旅行履歴が最も一貫しているように見える情報源を選択することを含み得る。車両の現在位置、車両のリアルタイムでの速度および車両の移動方向が取得される。
【００５４】
第１のステップＥ１０の第３のサブステップＥ１０３（ＣＡＬＣ）において、車両５が前記基準位置に到達するために必要とされる時間ｔｒｅｆが決定される。
【００５５】
このために、第１のサブステップＥ１０１においてあらかじめ決定された前記基準位置、ならびにサブステップＥ１０２において取得された現在位置、リアルタイムでの速度および車両の方向が使用される。車両５が前記基準位置に到達するために必要とされる時間ｔｒｅｆが次いで計算される。
【００５６】
車両５が前記基準位置に到達するために必要とされる時間ｔｒｅｆは、ステップＥ４０において、路側ユニットの位置に対する車両の位置を推定するためのアルゴリズムのための第１の入力データに対応する。
【００５７】
第２のステップＥ２０（ＰＲＯＣ）において、車両５と路側ユニット９との間の最小距離ｄｍｉｎが決定される。
【００５８】
このために、上記で説明したステップＥ１において、前記路側ユニットによって送信されたメッセージの車両５の通信ユニット７による受信が使用される。路側ユニット９に対応する第１の情報源から取得されたデータの少なくとも１つのタイプが使用され、このタイプのデータは「位置データ」という用語によって参照される。
【００５９】
好ましくは、ステップＥ２０において、使用される位置データは、頭字語ＲＳＳＩ（Ｒａｄｉｏ  Ｓｉｇｎａｌ  Ｓｔｒｅｎｇｔｈ  Ｉｎｄｉｃａｔｏｒ：無線信号強度インジケータ）によって参照される、受信された無線信号の電力のインジケータである。
【００６０】
ＲＳＵ９と車両５との間の通信は、通常、スマートトランスポートシステムのために使用される８０２．１１ｐ  Ｗｉ−Ｆｉ規格に従って実行され得る。これにより、Ｗｉ−Ｆｉ信号のＲＳＳＩを位置データとして取得することが可能になる。
【００６１】
ステップＥ１において、路側ユニット９によって送信された信号の電力が通信ボックス７によって測定される。
【００６２】
複数のメッセージ２０は、たとえば毎秒１０個のメッセージの頻度で、路側ユニット９によって、たとえば周期的に、時間とともに送信される。ステップＥ２０において、前記車両５と路側ユニット９との間の最小距離ｄｍｉｎを計算するために、時間の関数としてのＲＳＳＩにおける変動が使用される。
【００６３】
ＲＳＳＩは、車両５が前記路側ユニット９に近づくにつれて増加し、車両５が前記路側ユニット９から遠ざかるにつれて減少する。ＲＳＳＩの値は、前記車両５が路側ユニット９から最小距離ｄｍｉｎにあるときに最大である。
【００６４】
ステップＥ２０において、路側ユニット９に対する車両５からの最小距離ｄｍｉｎは、したがって、ＲＳＳＩの変動に基づいて決定され、最小距離ｄｍｉｎは、ＲＳＳＩの値が最大である、前記車両と路側ユニットとの間の距離である。
【００６５】
好ましくは、ＲＳＳＩの最大値に基づいて最小距離ｄｍｉｎを計算するために、メッセージを搬送する信号の電力が測定され得る。前記路側ユニットに対する車両の最小位置ｄｍｉｎは、前記信号が最大電力に達したことの検出から推論される。
【００６６】
有利には、データ記録は、自由空間条件下で、または干渉がほとんどない空間中で実行される。変形態として、たとえば、ビルの谷間および／または大きい建築物の存在による干渉がある空間では、伝搬モデルは、十分に多数の収集に基づいて推定され得る。
【００６７】
距離ｄｍｉｎは、ＦＲＩＩＳ公式（電気通信式）
2021529969.tif 000003
に基づいて計算され得る。ここで、Ｐｒは信号の受信電力であり、Ｐｔは信号の送信電力であり、ＧｔおよびＧｒは、それぞれ送信利得および受信利得であり、λは信号の波長であり、Ｒは送信機と受信機との間の距離である。送信機はＲＳＵ９に対応し、受信機は車両５の通信ボックス７に対応する。距離Ｒは、ＲＳＵ９と車両５との間の距離に対応する。
【００６８】
この式に見られ得るように、信号の受信電力は、送信機と受信機とが互いに近くなるほど高くなる。前記路側ユニット９に対する車両５の最小位置ｄｍｉｎは、したがって、前記信号が最大電力に達したことの検出から推論される。
【００６９】
車両５と路側ユニット９との間の距離が最小であり、ｄｍｉｎに等しい時間において、前記車両５は、それの半径が前記車両と路側ユニットとの間の最小距離ｄｍｉｎであり、それの中心が路側ユニット９の位置である、円の中に位置し得る。そのような円を以下で「不確定の円（ｃｉｒｃｌｅ  ｄ’ｉｎｃｅｒｔｉｔｕｄｅ）」と呼ぶ。
【００７０】
前記路側ユニットに対する車両の相対位置を推定するステップＥ２０において、信号が最大電力に達したとき、車両は、道路上の、ＲＳＵが設置されることが知られている側の、この道路上の前記ＲＳＵに最も近いポイントに位置すると考えられる。
【００７１】
最小距離ｄｍｉｎは、ステップＥ４０において、路側ユニットの位置に対する車両の位置を推定するためのアルゴリズムのための第２の入力データに対応する。
【００７２】
第３のステップＥ３０では、フィルタ処理が、特にマップ（ＭＡＰ）に対して実行される。マップ上のＲＳＵ９の位置と道路のトポロジーとを知っていると、車両が道路のどの部分に位置するかを決定し、それにより第２のステップＥ２０において取得された不確定の円の一部をフィルタ処理することが可能になる。
【００７３】
第３のステップＥ３０により、それの半径が前記車両と路側ユニットとの間の最小距離ｄｍｉｎであり、それの中心が路側ユニット９の位置である、ステップＥ２０において取得された前記円の中の車両のロケーションの推定値を、たとえば、この円に対する道路の相対位置に関するマップによって与えられた情報によって、改良することが可能になる。
【００７４】
マップからの情報は、ステップＥ４０において、路側ユニットの位置に対する車両の位置を推定するためのアルゴリズムのための第３の入力データに対応する。
【００７５】
変形態として、フィルタ処理ステップＥ３０は、マップを使用せずに実行され得る。この変形態では、不確定の円の各ポイントは、第１のステップＥ１０の第１のサブステップＥ１０１（ＲＥＦ）において決定された前記基準位置と比較され、次いで、この基準位置に最も近い１つまたは複数のポイントが選択される。
【００７６】
第４のステップＥ４０（ＥＳＴＩＭ）では、路側ユニット９の位置に対する車両５の相対位置が決定される。これのために、ステップＥ１０、Ｅ２０およびＥ３０の結果が、そこから車両の位置を推論するために組み合わされる。車両の位置は、ステップＥ１０において取得された時間ｔｒｅｆに基づいて、ステップＥ２０において取得された距離ｄｍｉｎに基づいて、およびステップＥ３０の結果に基づいて決定される。
【００７７】
ステップＥ４０により、車両の位置の第１の推定値を決定することが可能になる。第１の推定値は、たとえば、緯度に関して基準位置に対する偏差の０．０１度のオーダーの、経度に関して基準位置に対する偏差の１０−７度のオーダーの精度で決定される。
【００７８】
ステップＥ４０において取得された第１の推定値により、前記車両５が実際に前記ＲＳＵ９を通ったことを確認または反証（ｉｎｆｉｒｍｅｒ）することが可能になる。
【００７９】
ステップＥ４０において取得された第１の推定値により、少なくとも第２の情報源によって与えられた車両の位置の少なくとも第２の推定値を確証または無効化することが可能になる。
【００８０】
少なくとも第２の情報源は、車両の位置を特定するためのモジュールのすべてに対応するので、車両の位置の少なくとも第２の推定値を与えることが可能になり得る。
【００８１】
ステップＥ４０において取得された車両の位置の第１の推定値により、情報源のいずれかまたは両方によって与えられた推定値、特に少なくとも第２の情報源によって与えられた車両の位置の少なくとも第２の推定値を強化（ｃｏｎｓｏｌｉｄｅｒ）すること、言い換えれば確証、検証（ｖｅｒｉｆｉｅｒ）、確認または承認することが可能になる。
【００８２】
確証失敗の場合、１つまたは複数の他の情報源によって与えられたデータを補正するステップが実装され得る。
【００８３】
図２を参照しながら説明したタイプの方法の１つの利点は、それが、既存の道路インフラストラクチャである路側ユニットを使用し、それにより、実装のコストを減少させることが可能になることにある。
【００８４】
図２を参照しながら説明したタイプの方法の別の利点は、それにより、車両の位置を特定するための通常のシステムに対する追加の情報源の使用によって、車両のロケーションの精度を改善することが可能になることにある。
【００８５】
図２を参照しながら説明したタイプの方法の別の利点は、車両の位置を特定するための通常のシステムによって与えられた車両の位置の少なくとも第２の推定値を確証することを可能にする、車両の位置の第１の推定値を与えることによって、車両のロケーションの信頼性を改善することが可能になることにある。結果として、それは、自律車両の循環における安全性の向上を実現するために使用され得る。
【００８６】
車両の位置を特定するための方法について図２を参照しながら説明したが、第２のステップＥ２０において、ＲＳＳＩは、路側ユニットに対応する第１の情報源によって与えられる位置データとして使用される。変形態として、車両とＲＳＵとの間の最小距離ｄｍｉｎ、たとえば、信号の到着時間、または信号の到着時間の差を決定するために、他の位置データが使用され得る。
【００８７】
車両の位置を特定するための方法について図２を参照しながら説明したが、第１のステップＥ１０の第２のサブステップＥ１０２において、車両の現在位置および／または車両のリアルタイムでの速度および／または車両の移動方向は、第１の情報源に対応する路側ユニットから取得された第１のデータと、少なくとも第２の情報源から取得された第２のデータとを比較することに基づいて決定される。変形態として、第１のステップＥ１０の第２のサブステップＥ１０２において、車両の現在位置、車両のリアルタイムでの速度、および車両の移動方向は、ステップＥ１において、路側ユニットからの通信ボックスによって取得されたデータのみに基づいて決定され得る。別の変形態によれば、第１のステップＥ１０の第２のサブステップＥ１０２において、車両の現在位置、車両のリアルタイムでの速度、および車両移動方向は、ステップＥ２において、少なくとも第２の情報源から取得されたデータのみに基づいて決定され得る。
【００８８】
以下で、図３を参照しながら、通信ボックス７の一実施形態を含む車両５の一例について説明する。
【００８９】
通信ボックス７は、図２を参照しながら上記で説明したような、車両の位置を特定するための方法のステップを実装することを可能にするハードウェアおよび／またはソフトウェア要素を備える。これらの様々な要素はソフトウェアモジュールを備え得る。
【００９０】
たとえば、ハードウェアおよび／またはソフトウェア要素は、以下の要素、すなわち、
−  路側ユニット９によって送信されたメッセージを受信するように構成されたアンテナ７１、
−  受信機７２、
−  メッセージを搬送する信号のための電力センサー７３、
−  コンピュータ７４、
−  メモリ７５
の全部または一部を備え得る。
【００９１】
車両５は、有利には、第２の情報源７８、特にＧＰＳ位置特定システム、およびマップデータベース７９を備える。
【００９２】
変形態として、第２の情報源７８およびマップデータベース７９のいずれかまたは両方が通信ボックス７中に含まれ得る。
【図１】
2021529969.tif 000004
【図２】
2021529969.tif 000005
【図３】
2021529969.tif 000006
【国際調査報告】
2021529969.tif 000007
2021529969.tif 000008
2021529969.tif 000009
2021529969.tif 000010
2021529969.tif 000011
2021529969.tif 000012
2021529969.tif 000013